(57)【要約】【課題】  ユーザーの利便性を向上させる。【解決手段】  デジタルカメラ２では、主要被写体に焦点を合わせて背景をぼかして撮影するアウトフォーカス撮影を行う直前に、被写体との距離を測距するための仮撮影を行う。メディアコントローラ４８は、アウトフォーカス撮影で得られる本画像データ、および仮撮影で得られる仮画像データを区別してメモリカード４９に記録し、メモリカード４９から画像データを読み出す際に、その画像データが仮画像データであるか否か、並びにその画像データに仮画像データが付随して記録されているか否かを判別する。ＬＣＤドライバ４４は、仮画像データであると判別された画像データで表される画像を再生表示させないように、ＬＣＤ１７を制御する。【選択図】        図３
2006100962.tif 000002
【特許請求の範囲】
【請求項１】
主要被写体に焦点を合わせて背景をぼかして撮影するアウトフォーカス撮影を行う直前に、被写体との距離を測距するための仮撮影を行うとともに、
前記アウトフォーカス撮影で得られる本画像データ、および前記仮撮影で得られる仮画像データが付随して記録される記録媒体と、画像が再生表示される画像表示手段とを備えたデジタルカメラにおいて、
前記本画像データ、および前記仮画像データを区別して前記記録媒体に記録し、前記記録媒体から画像データを読み出す際に、その画像データが前記仮画像データであるか否か、並びにその画像データに前記仮画像データが付随して記録されているか否かを判別するデータ入出力制御手段と、
前記仮画像データであると判別された画像データで表される画像を再生表示させないように、前記画像表示手段を制御する表示制御手段とを設けたことを特徴とするデジタルカメラ。
【請求項２】
前記表示制御手段は、前記仮画像データが付随して記録されていると判別された前記本画像データで表される画像を前記画像表示手段に再生表示させる際に、前記仮画像データが付随して記録されている旨を併せて表示させることを特徴とする請求項１に記載のデジタルカメラ。
【請求項３】
前記データ入出力制御手段は、前記仮画像データが付随して記録されていると判別された前記本画像データの削除命令が入力された際に、前記本画像データとともに前記仮画像データも削除することを特徴とする請求項１または２に記載のデジタルカメラ。
【請求項４】
前記データ入出力制御手段は、前記仮画像データが付随して記録されていると判別された前記本画像データの削除命令が入力された際に、前記本画像データは削除せず、前記仮画像データのみを削除することを特徴とする請求項１または２に記載のデジタルカメラ。
【請求項５】
前記データ入出力制御手段は、前記アウトフォーカス撮影時には、前記仮画像データの分を減じた前記記録媒体の残り容量から撮影可能枚数を算出するとともに、
前記表示制御手段は、算出された撮影可能枚数を前記画像表示手段に表示させることを特徴とする請求項１ないし４のいずれかに記載のデジタルカメラ。
【請求項６】
前記本画像データと前記仮画像データとの差分を演算する差分演算手段を備え、
前記表示制御手段は、前記差分の演算結果が予め設定された値よりも大きい場合、その旨を前記画像表示手段に表示させるとともに、
前記データ入出力制御手段は、前記差分の演算結果が予め設定された値よりも大きい場合、前記仮画像データを記録せず、前記本画像データのみを前記記録媒体に記録することを特徴とする請求項１ないし５のいずれかに記載のデジタルカメラ。
【発明の詳細な説明】
【技術分野】
【０００１】
本発明は、主要被写体に焦点を合わせて背景をぼかして撮影するアウトフォーカス撮影を行う直前に、被写体との距離を測距するための仮撮影を行うデジタルカメラに関する。
【背景技術】
【０００２】
ＣＣＤなどの固体撮像素子で撮像した被写体光をデジタルの画像データに変換し、内蔵メモリやメモリカードなどに記録するデジタルカメラが普及している。このようなデジタルカメラには、主要被写体に焦点を合わせて背景をぼかして撮影するアウトフォーカス撮影を行えるものがある。
【０００３】
上記のようなアウトフォーカス撮影が可能なデジタルカメラとして、焦点距離が短く、絞り径の小さなレンズを用いても、主要被写体の位置に影響されず、主要被写体以外のピントの合っていない部分を主要被写体との距離に応じて自然にぼかした画像が得られるように、撮影面における複数の被写体までの距離に基づいて主要被写体を検出する検出手段と、検出された主要被写体が存在する部分以外の撮影面を撮影して得た画像データを、主要被写体との間の距離に応じてぼかす画像処理を行う画像処理手段とを設け、主被写体から離れるに従ってぼけるようにしたデジタルカメラが提案されている（特許文献１参照）。
【０００４】
一方、アウトフォーカス撮影の直前に、最大シンクロ速度でストロボ撮影する、あるいは無限遠ピント位置で撮影する仮撮影を行い、この仮撮影により得られた仮画像データから被写体との距離を測距し、距離の測距結果に基づいて、直後のアウトフォーカス撮影で得られた本画像データにアウトフォーカス処理を施す技術が本発明者から考案されている。
【特許文献１】特開平１１−２６６３８８号公報
【発明の開示】
【発明が解決しようとする課題】
【０００５】
本発明者が考案した上記の技術では、アウトフォーカス撮影で得られた本画像データだけでなく、アウトフォーカス処理時にのみ必要で、その後は不要となる仮画像データも記録されてしまう。このため、備え付けの液晶表示器で画像を再生表示した際に、鑑賞するに値しない仮画像までもが表示されてしまうなどの不具合が生じるおそれがあった。
【０００６】
本発明は、上記課題を鑑みてなされたものであり、アウトフォーカス撮影直前の仮撮影で得られる仮画像データの扱いを規制することで、ユーザーの利便性を向上させることができるデジタルカメラを提供することを目的とする。
【課題を解決するための手段】
【０００７】
上記目的を達成するために、本発明は、主要被写体に焦点を合わせて背景をぼかして撮影するアウトフォーカス撮影を行う直前に、被写体との距離を測距するための仮撮影を行うとともに、前記アウトフォーカス撮影で得られる本画像データ、および前記仮撮影で得られる仮画像データが付随して記録される記録媒体と、画像が再生表示される画像表示手段とを備えたデジタルカメラにおいて、前記本画像データ、および前記仮画像データを区別して前記記録媒体に記録し、前記記録媒体から画像データを読み出す際に、その画像データが前記仮画像データであるか否か、並びにその画像データに前記仮画像データが付随して記録されているか否かを判別するデータ入出力制御手段と、前記仮画像データであると判別された画像データで表される画像を再生表示させないように、前記画像表示手段を制御する表示制御手段とを設けたことを特徴とする。
【０００８】
なお、前記表示制御手段は、前記仮画像データが付随して記録されていると判別された前記本画像データで表される画像を前記画像表示手段に再生表示させる際に、前記仮画像データが付随して記録されている旨を併せて表示させることが好ましい。
【０００９】
また、前記データ入出力制御手段は、前記仮画像データが付随して記録されていると判別された前記本画像データの削除命令が入力された際に、前記本画像データとともに前記仮画像データも削除することが好ましい。あるいは、前記データ入出力制御手段は、前記仮画像データが付随して記録されていると判別された前記本画像データの削除命令が入力された際に、前記本画像データは削除せず、前記仮画像データのみを削除することが好ましい。
【００１０】
また、前記データ入出力制御手段は、前記アウトフォーカス撮影時には、前記仮画像データの分を減じた前記記録媒体の残り容量から撮影可能枚数を算出するとともに、前記表示制御手段は、算出された撮影可能枚数を前記画像表示手段に表示させることが好ましい。
【００１１】
さらに、前記本画像データと前記仮画像データとの差分を演算する差分演算手段を備え、前記表示制御手段は、前記差分の演算結果が予め設定された値よりも大きい場合、その旨を前記画像表示手段に表示させるとともに、前記データ入出力制御手段は、前記差分の演算結果が予め設定された値よりも大きい場合、前記仮画像データを記録せず、前記本画像データのみを前記記録媒体に記録することが好ましい。
【発明の効果】
【００１２】
本発明のデジタルカメラによれば、アウトフォーカス撮影で得られる本画像データ、および仮撮影で得られる仮画像データを区別して記録媒体に記録し、記録媒体から画像データを読み出す際に、その画像データが仮画像データであるか否か、並びにその画像データに仮画像データが付随して記録されているか否かを判別するデータ入出力制御手段と、仮画像データであると判別された画像データで表される画像を再生表示させないように、画像表示手段を制御する表示制御手段とを設けたので、鑑賞するに値しない仮画像までもが再生表示されてしまう不具合が生じることがない。したがって、ユーザーの利便性を向上させることができる。
【発明を実施するための最良の形態】
【００１３】
図１および図２において、本発明を適用したデジタルカメラ２の前面には、撮像レンズ１０を保持するレンズ鏡胴１１が組み込まれている。デジタルカメラ２の上面には、レリーズボタン１２、電源スイッチ１３、およびモードダイヤル１４が設けられており、側面には、メモリカード４９（図３参照）が着脱自在に装填されるメモリカードスロットを覆う蓋１５が設けられている。
【００１４】
デジタルカメラ２の背面には、電子ビューファインダを構成するファインダ接眼窓１６、液晶表示器（ＬＣＤ）１７、および操作部１８が設けられている。ＬＣＤ１７は、撮影した画像やいわゆるスルー画像、各種メニュー画面を表示する。操作部１８は、撮像レンズ１０のズームレンズをワイド側、テレ側に変倍するズーム操作ボタン１９や、ＬＣＤ１７にメニュー画面を表示させる際や、選択内容を決定する際に操作されるメニューボタン２０、およびメニュー画面内でカーソルを移動させる十字キー２１などから構成される。
【００１５】
デジタルカメラ２では、静止画撮影を行う静止画撮影モード、動画撮影を行う動画撮影モード、撮影した画像をＬＣＤ１７に表示する再生モード、および各種設定を行う設定モードが選択可能となっている。これらのモードの切り替えは、モードダイヤル１４を回動操作させることで行われる。なお、動画撮影モードでは、動画の撮影とともに、図示しないマイクロホンを介して周囲の音声が収録される。
【００１６】
また、デジタルカメラ２は、主要被写体に焦点を合わせて背景をぼかして撮影するアウトフォーカス撮影を行うことが可能となっている。このアウトフォーカス撮影モードは、静止画撮影モード下で、操作部１８を操作することにより実施可否が設定され、設定がされていない場合は通常の撮影モードとなる。
【００１７】
アウトフォーカス撮影モードが設定された場合、デジタルカメラ２では、アウトフォーカス撮影直前に、被写体との距離を測距するための仮撮影を行う。仮撮影は、最大シンクロ速度でストロボ撮影する、あるいは無限遠ピント位置で撮影するもので、この仮撮影により得られた仮画像データを元に、被写体との距離を測距する。
【００１８】
デジタルカメラ２では、被写体の露出量に応じて、仮撮影としてストロボ撮影を行うか、無限遠ピント位置で撮影を行うかを自動的に選択することが可能となっている。なお、被写体との距離を測距する方法としては、ストロボ撮影を行う場合は、仮画像データの画素毎の明度成分を距離指標の代替として用い、無限遠ピント位置で撮影を行う場合は、仮画像データとアウトフォーカス撮影で得られた本画像データとの空間周波数成分を比較し、この比較結果を距離指標の代替として用いる。
【００１９】
レリーズボタン１２は、２段階押しのスイッチとなっている。ＬＣＤ１７による被写体のフレーミングの後に、レリーズボタン１２を軽く押圧（半押し）すると、自動露出調整（ＡＥ）、自動焦点調整（ＡＦ）などの各種撮影準備処理が施される。この状態でレリーズボタン１２をもう１度強く押圧（全押し）すると、撮影準備処理が施された１画面分の撮像信号が画像データに変換された後、後述する画像処理および圧縮処理が施され、メモリカード４９に記録される。
【００２０】
デジタルカメラ２の電気的構成を示す図３において、撮像レンズ１０には、レンズモータ３０が接続されている。また、絞り３１には、アイリスモータ３２が接続されている。これらのモータ３０、３２はステッピングモータからなり、ＣＰＵ３３に接続されたモータドライバ３４、３５から送信される駆動パルスにより動作制御され、レリーズボタン１２の半押しに伴う撮影準備処理を行う。
【００２１】
レンズモータ３０は、ズーム操作ボタン１９の操作に連動して、撮像レンズ１０のズームレンズをワイド側、あるいはテレ側に移動させる。また、被写体距離やズームレンズの変倍に応じて撮像レンズ１０のフォーカスレンズを移動させ、撮影条件が最適となるように焦点調整を行う。アイリスモータ３２は、絞り３１を動作させ、露出調整を行う。
【００２２】
撮像レンズ１０の背後には、撮像レンズ１０を透過した被写体光が撮像されるＣＣＤ３６が配置されている。ＣＣＤ３６には、ＣＰＵ３３によって制御されるタイミングジェネレータ（ＴＧ）３７が接続され、このＴＧ３７から入力されるタイミング信号（クロックパルス）により、電子シャッタのシャッタ速度が決定される。
【００２３】
ＣＣＤ３６から出力された撮像信号は、相関二重サンプリング回路（ＣＤＳ）３８に入力され、ＣＣＤ３６の各セルの蓄積電荷量に正確に対応したＲ、Ｇ、Ｂの画像データとして出力される。ＣＤＳ３８から出力された画像データは、増幅器（ＡＭＰ）３９で増幅され、Ａ／Ｄ変換器（Ａ／Ｄ）４０でデジタルの画像データに変換される。
【００２４】
画像入力コントローラ４１は、バス４２を介してＣＰＵ３３に接続され、ＣＰＵ３３の制御命令に応じてＣＣＤ３６、ＣＤＳ３８、ＡＭＰ３９、およびＡ／Ｄ４０を制御する。Ａ／Ｄ４０から出力された画像データは、ＳＤＲＡＭ４３に一旦格納され、ＬＣＤドライバ４４を介してスルー画像としてＬＣＤ１７に表示される。
【００２５】
画像信号処理回路４５は、ＳＤＲＡＭ４３から画像データを読み出して、階調変換、ホワイトバランス補正、γ補正処理、アウトフォーカス撮影後に行うアウトフォーカス処理などの各種画像処理を施し、この画像データを再度ＳＤＲＡＭ４３に格納する。ＹＣ変換処理回路４６は、画像信号処理回路４５で各種処理を施された画像データをＳＤＲＡＭ４３から読み出し、輝度信号Ｙと色差信号Ｃｒ、Ｃｂとに変換する。圧縮伸長処理回路４７は、この変換された画像データに対して、所定の圧縮形式（例えばＪＰＥＧ形式）で画像圧縮を施す。圧縮された画像データは、メディアコントローラ４８を経由してメモリカード４９に記録される。
【００２６】
ＣＰＵ３３には、前述のレリーズボタン１２、操作部１８の他に、ＥＥＰＲＯＭ５０が接続されている。ＥＥＰＲＯＭ５０には、各種制御用のプログラムや設定情報などが記録されている。ＣＰＵ３３は、これらの情報をＥＥＰＲＯＭ５０から作業用メモリであるＳＤＲＡＭ４３に読み出して、各種処理を実行する。
【００２７】
バス４２には、露出量、すなわち電子シャッタのシャッタ速度、および絞り３１の絞り値が撮影に適切か否かを検出するとともに、ホワイトバランスが撮影に適切か否かを検出するＡＥ／ＡＷＢ検出回路５１と、撮像レンズ１０の焦点調整が撮影に適切か否かを検出するＡＦ検出回路５２と、ストロボ装置５３の動作を制御するストロボ制御回路５４と、外部機器とのデータの送受信を行う通信Ｉ／Ｆ５５と、本画像データと仮画像データとの差分を演算する差分演算回路５６とが接続されている。
【００２８】
ＡＥ／ＡＷＢ、ＡＦ検出回路５１、５２は、レリーズボタン１２の半押し時に、バス４２を介してＣＰＵ３３に検出結果を逐次送信する。ＣＰＵ３３は、これらの検出回路５１、５２から送信される検出結果に基づいて、撮像レンズ１０、絞り３１、およびＣＣＤ３６の動作を制御する。
【００２９】
メディアコントローラ４８は、アウトフォーカス撮影で得られた本画像データ、および仮撮影で得られた仮画像データを区別してメモリカード４９に記録する。例えば、図４（Ａ）に示すように、同一のファイル「１００＿ＦＵＪＩ」内に本画像データおよび仮画像データを格納し、本画像データのファイル名の冠を「ＤＳＣＦ・・・」、仮画像データを「ＤＳＣ＿」として、本画像データに付随する仮画像データには、本画像データと同一の番号を付す。あるいは、（Ｂ）に示すように、本画像データおよび仮画像データのファイル名の冠は「ＤＳＣＦ・・・」で同一とし、本画像データをファイル「１００＿ＦＵＪＩ」に、仮画像データをファイル「１００＿ＦＵＪ＿」にそれぞれ格納して、本画像データに付随する仮画像データには、本画像データと同一の番号を付す。
【００３０】
メディアコントローラ４８は、メモリカード４９から画像データを読み出す際に、その画像データが仮画像データであるか否か、並びにその画像データに仮画像データが付随して記録されているか否かを判別する。この判別は、図４（Ａ）に示すように本画像データおよび仮画像データが記録される場合は、ファイルの冠と番号とを照らし合わせることで行い、（Ｂ）に示す場合は、格納されているフォルダ名と番号とを照らし合わせることで行う。
【００３１】
メディアコントローラ４８は、仮画像データが付随して記録されていると判別された画像データの削除命令が操作部１８から入力された際に、本画像データとともに仮画像データも削除する。あるいは、本画像データは削除せず、仮画像データのみを削除する。また、メディアコントローラ４８は、アウトフォーカス撮影時には、仮画像データの分を減じたメモリカード４９の残り容量から撮影可能枚数を算出する。例えば、通常撮影時に算出される撮影可能枚数の半分を、アウトフォーカス撮影時の撮影可能枚数として算出する。
【００３２】
さらに、メディアコントローラ４８は、差分演算回路５６による本画像データと仮画像データとの差分の演算結果が予め設定された値よりも大きい場合（手ブレ、被写体ブレ、露出異常などで適切な仮画像データが得られなかった場合）、仮画像データを記録せずに本画像データのみをメモリカード４９に記録する。
【００３３】
再生モード下において、ＬＣＤドライバ４４は、仮画像データであると判別された画像データで表される画像をスキップさせて再生表示させないように、ＬＣＤ１７を制御する。
【００３４】
また、図５に示すように、ＬＣＤドライバ４４は、仮画像データが付随して記録されていると判別された画像データ、つまり本画像データで表される画像をＬＣＤ１７に再生表示させる際に、「ＯＦ」なるアイコン６０を付し、仮画像データが付随して記録されている旨を併せて表示させる。
【００３５】
また、図６に示すように、ＬＣＤドライバ４４は、仮画像データが付随して記録されていると判別された画像データの削除命令が操作部１８から入力された際に、メディアコントローラ４８で本画像データは削除せず、仮画像データのみを削除する場合、「仮画像データを削除します」というメッセージ６１を付す。また、図７に示すように、ＬＣＤドライバ４４は、アウトフォーカス撮影時に、メディアコントローラ４８で算出された撮影可能枚数６２を、スルー画像とともにＬＣＤ１７に表示させる。
【００３６】
さらに、図８に示すように、ＬＣＤドライバ４４は、差分演算回路５６による本画像データと仮画像データとの差分の演算結果が予め設定された値よりも大きい場合、「適切なデータが得られませんでした」なるエラーメッセージ６３を付し、その旨をＬＣＤ１７に表示させる。
【００３７】
次に、上記構成を有するデジタルカメラ２の動作について、図９〜図１１のフローチャートを参照して説明する。まず、デジタルカメラ２で被写体の撮影を行う際には、電源スイッチ１３を操作してデジタルカメラ２の電源を投入し、モードダイヤル１４を操作して静止画撮影モード、あるいは動画撮影モードを選択する。
【００３８】
撮影モード下において、撮像レンズ１０、絞り３１を介して入射した被写体光は、ＣＣＤ３６により光電変換され、ＣＤＳ３８でサンプリングされる。ＣＤＳ３８から出力された画像データは、ＡＭＰ３９で増幅され、Ａ／Ｄ４０でデジタルの画像データに変換される。
【００３９】
デジタル変換された画像データは、画像信号処理回路４５で各種画像処理が施された後、画像入力コントローラ４１を介してＳＤＲＡＭ４３に順次格納され、ＬＣＤ１７にスルー画像として表示される。この状態でレリーズボタン１２が半押しされると、ＡＥ／ＡＷＢ検出回路５１、ＡＦ検出回路５２により露出量、ホワイトバランス、焦点が検出され、この検出結果に基づいて撮影準備処理が施される。
【００４０】
撮影準備処理後、レリーズボタン１２の全押しにより撮影が実行されると、静止画撮影モード下では、そのときＳＤＲＡＭ４３に格納されている画像データがＹＣ変換処理回路４６に読み出され、輝度信号Ｙと色差信号Ｃｒ、Ｃｂとに変換された後、圧縮伸長処理回路４７で圧縮処理が施され、メディアコントローラ４８を経由してメモリカード４９に記録される。
【００４１】
一方、動画撮影モード下では、レリーズボタン１２が再度全押しされるまで、一定のフレームレート（例えば３０フレーム／秒）で画像データが記録される。また、これと同時にマイクロホンを介して周囲の音声が収録される。マイクロホンで収録された音声は、画像データと関連付けられてメモリカード４９に記録される。
【００４２】
図９において、アウトフォーカス撮影モード下では、メディアコントローラ４８により、仮画像データの分を減じたメモリカード４９の残り容量から撮影可能枚数が算出され、ＬＣＤドライバ４４により、算出された撮影可能枚数６２がＬＣＤ１７に表示される。
【００４３】
レリーズボタン１２の半押しに伴い、被写体の露出量に応じて、仮撮影としてストロボ撮影を行うか、無限遠ピント位置で撮影を行うかが自動的に選択され、仮撮影が行われる。そして、レリーズボタン１２の全押しにより、仮撮影が行われる。これにより得られた仮画像データは、ＳＤＲＡＭ４３に一旦ラッチされる。仮撮影直後、アウトフォーカス撮影が自動的に行われ、これにより得られた本画像データも同様に、ＳＤＲＡＭ４３に一旦ラッチされる。
【００４４】
アウトフォーカス撮影終了後、ＳＤＲＡＭ４３にラッチされていた本画像データおよび仮画像データは、差分演算回路５６に読み出され、その差分が演算される。差分の演算結果が予め設定された値よりも小さい場合は、メディアコントローラ４８により、本画像データおよび仮画像データは区別されてメモリカード４９に記録される。
【００４５】
一方、差分の演算結果が予め設定された値よりも大きい場合は、ＬＣＤドライバ４４により、エラーメッセージ６３がＬＣＤ１７に表示され、メディアコントローラ４８により、仮画像データは記録されず、本画像データのみがメモリカード４９に記録される。
【００４６】
図１０および図１１において、再生モード下では、まず、メディアコントローラ４８を経由してメモリカード４９から画像が読み出される。このとき、メディアコントローラ４８により、読み出す画像データが仮画像データであるか否か、並びにその画像データに仮画像データが付随して記録されているか否かが判別される。
【００４７】
仮画像データであると判別された場合、ＬＣＤドライバ４４により、仮画像データで表される画像はスキップされ、次の画像データが読み出される。一方、仮画像データでないと判別され、且つ仮画像データが付随する画像データであると判断された場合は、ＬＣＤドライバ４４により、アイコン６０が付されて再生表示される。仮画像データが付随する画像データでないと判別された場合は、アイコン６０は付されず、通常の再生表示が行われる。この再生表示は、操作部１８により次の画像が選択されるか、モードダイヤル１４が回動操作されるまで続けられる。
【００４８】
画像の再生表示が行われている状態で、操作部１８により画像データの削除命令が入力されると、図１１（Ａ）に示すように、その画像データが、仮画像データが付随して記録されていると判別された画像データである場合は、メディアコントローラ４８により、本画像データとともに仮画像データも削除される。あるいは、（Ｂ）に示すように、ＬＣＤドライバ４４により、メッセージ６１が付され、メディアコントローラ４８により、本画像データは削除されず、仮画像データのみが削除される。
【００４９】
上記のように、アウトフォーカス撮影時の本画像データ、および仮画像データを区別してメモリカード４９に記録し、メモリカード４９から画像データを読み出す際に、その画像データが仮画像データであるか否か、並びにその画像データに仮画像データが付随して記録されているか否かを、メディアコントローラ４８により判別し、仮画像データであると判別された画像データで表される画像を再生表示させないように、ＬＣＤドライバ４４でＬＣＤ１７を制御するので、鑑賞するに値しない仮画像までもが再生表示されてしまう不具合が生じることがない。したがって、ユーザーの利便性を向上させることができる。
【００５０】
また、仮画像データが付随して記録されていると判別された画像データで表される画像をＬＣＤ１７に再生表示させる際に、アイコン６０を併せて表示させるので、再生表示されている画像が、アウトフォーカス処理可能な画像であるか否かを容易に把握することができる。
【００５１】
また、仮画像データが付随して記録されていると判別された画像データの削除命令が入力された際に、本画像データとともに仮画像データも削除する、あるいは、本画像データは削除せず、仮画像データのみを削除するので、本画像データを削除した後に、それに付随する仮画像データが残されているか否かをユーザーに意識させることなく、確実に仮画像データを削除することができる。
【００５２】
また、アウトフォーカス撮影時には、仮画像データの分を減じたメモリカード４９の残り容量から撮影可能枚数を算出するとともに、算出された撮影可能枚数６２をＬＣＤ１７に表示させるので、アウトフォーカス撮影時の撮影可能枚数を確実に把握することができる。
【００５３】
さらに、本画像データと前記仮画像データとの差分を演算し、この演算結果が予め設定された値よりも大きい場合、エラーメッセージ６３をＬＣＤ１７に表示させるとともに、仮画像データを記録せず、本画像データのみをメモリカード４９に記録するので、アウトフォーカス処理時に利用価値のない仮画像データが記録されることを防止することができる。
【図面の簡単な説明】
【００５４】
【図１】本発明を適用したデジタルカメラの正面外観斜視図である。
【図２】デジタルカメラの背面外観図である。
【図３】デジタルカメラの電気的構成を示すブロック図である。
【図４】本画像データおよび仮画像データを区別して記録する例を示す説明図であり、（Ａ）は、ファイル名の冠を変えて区別する例を示し、（Ｂ）は、フォルダ名を変えて区別する例をそれぞれ示す。
【図５】仮画像データが付随して記録された本画像データをＬＣＤに再生表示した状態を示す図である。
【図６】本画像データを削除せず、仮画像データのみを削除する際のＬＣＤの表示状態を示す図である。
【図７】アウトフォーカス撮影時にＬＣＤに撮影可能枚数を表示した状態を示す図である。
【図８】本画像データと仮画像データとの差分の演算結果が予め設定された値よりも大きい場合のＬＣＤの表示状態を示す図である。
【図９】アウトフォーカス撮影時の処理手順を示すフローチャートである。
【図１０】再生モード下における処理手順を示すフローチャートである。
【図１１】削除命令が入力された場合の処理手順を示すフローチャートであり、（Ａ）は、本画像データとともに仮画像データも削除する場合、（Ｂ）は、仮画像データのみを削除する場合をそれぞれ示す。
【符号の説明】
【００５５】
２  デジタルカメラ
１０  撮像レンズ
１７  液晶表示器（ＬＣＤ）
３３  ＣＰＵ
３６  ＣＣＤ
４４  ＬＣＤドライバ
４８  メディアコントローラ
４９  メモリカード
５６  差分演算回路
６０  アイコン
６１  メッセージ
６２  撮影可能枚数
６３  エラーメッセージ
【図１】
2006100962.tif 000003
【図２】
2006100962.tif 000004
【図３】
2006100962.tif 000005
【図４】
2006100962.tif 000006
【図５】
2006100962.tif 000007
【図６】
2006100962.tif 000008
【図７】
2006100962.tif 000009
【図８】
2006100962.tif 000010
【図９】
2006100962.tif 000011
【図１０】
2006100962.tif 000012
【図１１】
2006100962.tif 000013